(57)【要約】【課題】  縦方向に延びる複数本の主材の間には横方向に延びる複数本の副材を配列すると共に互いに連結して構成され、組付けが簡単な天井フレームの提供。【解決手段】  主材１は概略逆Ｔ形断面の長尺材で下端には両側に天井パネル受４ａ，４ｂを設け、又副材２も概略逆Ｔ形断面をした長尺材で下端には天井パネル受け１１ａ，１１ｂを両側に設け、しかも両側板１３ａ，１３ｂにて囲まれた長方形の穴１４を設け、副材２は連結部材３を介して主材１と連結されるが、該連結部材３は背板１５からアーム１６を水平に延ばすと共に嵌合部１７を延出した形状で、該連結部材３を主材１の天井パネル受け４ａ，４ｂの受け面５ａ，５ｂに載せると共に係止し、そして背板１５をボルトで固定し、副材２の穴１４には連結部材３の嵌合部１７を嵌めて上端をボルトを介して連結部材３のアーム１６に固定している。【選択図】    図１
2010018957.tif 000002
【特許請求の範囲】
【請求項１】
等間隔をもって縦方向に延びる複数本の主材の間には等間隔をもって横方向に延びる複数本の副材を配列すると共に互いに連結して構成される天井フレームにおいて、上記主材は概略逆Ｔ形断面の長尺材で下端には主柱の両側に天井パネル受けを設け、上端の両側には外側を開口したガイド溝を設け、又副材も概略逆Ｔ形断面をした長尺材で下端には天井パネル受けを両側に設け、上端には上方を開口したガイド溝を形成し、しかも天井パネル受けとガイド溝の間には両側板にて囲まれた長方形の穴を設け、副材は連結部材を介して主材と連結されるが、該連結部材は背板からアームを水平に延ばすと共に嵌合部を延出した形状で、該嵌合部の底板には背板側に溝を形成し、該連結部材を主材の天井パネル受けの受け面に載せると共に係止し、そして背板の上端部をガイド溝に嵌めたボルトで固定し、副材の穴には連結部材の嵌合部を嵌めて上端のガイド溝に取付けたボルトを介して連結部材のアームに固定したことを特徴とする天井フレーム構造。
【請求項２】
上記主材の天井パネル受けの受け面には係止片を起立し、該係止片を連結部材の底板に設けた溝に係合した請求項１記載の天井フレーム構造。
【請求項３】
等間隔をもって縦方向に延びる複数本の主材の間には等間隔をもって横方向に延びる複数本の副材を配列すると共に互いに連結して構成される天井フレームに形成される空間に天井パネルを配列した天井構造において、天井フレームを構成する上記主材は概略逆Ｔ形断面の長尺材で下端には主柱の両側に天井パネル受けを設け、上端の両側には外側を開口したガイド溝を設け、又天井フレームを構成する副材も概略逆Ｔ形断面をした長尺材で下端には天井パネル受けを両側に設け、上端には上方を開口したガイド溝を形成し、しかも天井パネル受けとガイド溝の間には両側板にて囲まれた長方形の穴を設け、副材は連結部材を介して主材と連結されるが、該連結部材は背板からアームを水平に延ばすと共に嵌合部を延出した形状で、該嵌合部の底板には背板側に溝を形成し、該連結部材を主材の天井パネル受けの受け面に載せると共に係止し、そして背板の上端部をガイド溝に嵌めたボルトで固定し、副材の穴には連結部材の嵌合部を嵌めて上端のガイド溝に取付けたボルトを介して連結部材のアームに固定し、このように構成した天井フレームに形成される空間には複数枚の天井パネルを配列すると共に天井パネル受けに側端部を載せ、各天井パネルの間には概略エ形断面の繋ぎ材を設け、繋ぎ材の開口に天井パネルの側端部を嵌めて目地空間を塞いだことを特徴とする天井構造。
【発明の詳細な説明】
【技術分野】
【０００１】
本発明はクリーンルーム等の天井を構成するフレーム構造及び該フレームを使用した天井構造に関するものである。
【背景技術】
【０００２】
一般に、クリーンルーム内では、空気中の浮遊粒子の数が、常に規定値以下になるように制御され、また、室内を所定の温度、湿度に維持するよう制御される。この制御方法は色々知られているが、例えば、天井部に天井フレーム材を吊して支持し、そのフレームに天井材を取り付けて気密の天井裏空間を形成する。その天井裏空間にファンフィルタユニットを設け、室内から取り込んだ空気を浄化するとともに、その浄化した空気を天井材の吹き出し口から室内に吹き出すように構成している。
【０００３】
図７はクリーンルームの天井フレームを示す概略図であり、複数の並行な主材（イ）、（イ）・・・と、その主材（イ）、（イ）・・・に直交する複数の平行な副材（ロ）、（ロ）・・・とで構成した格子状を構成している。この格子状のフレームが、吊りボルト等により吊設して固定される。そして、上記主材（イ）、（イ）・・と副材（ロ）、（ロ）・・とで囲まれる空間（ハ）、（ハ）・・・には天井パネルが配置されて天井を構成している。
【０００４】
ところで、主材（イ）、（イ）・・に直交する副材（ロ）、（ロ）・・はその両端が該主材（イ）、（イ）・・の側面に突き合わされて連結されるが、連結部材としてＬ形金具、Ｔ形金具、又は十形金具が用いられている。すなわち、これら各金具を介してボルト締めされるが、作業性は悪く、しかも主材（イ）、（イ）・・に対して副材（ロ）、（ロ）・・を正しく突き合わして連結することが容易でなく、時には突合せ面に隙間を生じる。
【０００５】
特開２００６−１１２２２２号に係る「天井フレーム構造」は天井フレームを構成する主材と副材との連結、取り外しが簡単な構造である。
すなわち、天井面に沿って主材を並行に設け、その隣接する両主材間に主材に交差する副材を同じく天井面に沿って並行に設け、その副材の端面を主材の側面に突き合わせ側面下部に、それぞれ上向き開口の溝を設けている。その突き合わせ側面に断面Ｌ字状金具を、その折曲縁が主材と副材との側面突き合わせ縁に位置するように当てがい、断面Ｌ字状金具の下縁を前記溝に嵌め込んでいる。その溝と同一側面上部にそれぞれ下向きコ字状の固定部材を設けて下向き開口の溝を形成し、その溝に前記断面Ｌ字状金具の上縁を嵌め込む。
【０００６】
しかし、この天井フレーム構造では、主材と副材の連結部にはＬ字状金具及びコ字状の固定金具を必要とし、しかも副材を取外す際にはコ字状の固定金具を固定しているボルトを弛めて除去し、Ｌ字状金具も外さなくてはならない。勿論、副材を主材に連結する場合には、Ｌ字状金具とコ字状の固定金具を使用してボルト締めしなくてはならない。
【特許文献１】特開２００６−１１２２２２号に係る「天井フレーム構造」
【発明の開示】
【発明が解決しようとする課題】
【０００７】
このように、従来の天井フレーム構造には上記のごとき問題がある。本発明が解決しようとする課題はこの問題点であり、構成部品の点数が少なくて施工が簡単な天井フレーム構造及び天井構造を提供する。
【課題を解決するための手段】
【０００８】
本発明に係る天井フレームは従来と同じように縦方向に配置される複数本の主材と横方向に配置される複数本の副材とで構成され、主材と副材とは互いに垂直を成している。主材の縦断面は概略逆Ｔ形を成し、同じく副材の縦断面も概略逆Ｔ形としている。そして、主材の両側には連結部材を取付け、該連結部材を介して副材が連結される。
【０００９】
概略逆Ｔ形断面の主材は、その下端部両側に天井パネル受けを形成し、連結部材はその底板が天井パネル受けに載って係止し、上端はボルト締めされる。そして、延出した嵌合部を設け、該嵌合部の一部は主材の天井パネル受けに載ると共に、他の一部は副材に形成している穴に嵌合する。又、上部には外方向へ延びるアームを有し、該アームには副材上端部がボルト締めにて固定される。
【００１０】
副材にも天井パネル受けが設けられ、該天井パネル受けは連結部材を介して主材に連結された状態では、その高さは一定に揃う。そして、天井パネルは該天井パネル受けに側端部が載置されて天井が構成される。一方、隣り合う天井パネル間には概略エ形断面をした繋ぎ材が介在している。すなわち、概略エ形断面の両側開口に天井パネル側端部が嵌って繋がれるが、該繋ぎ材は概略逆Ｔ形断面の繋ぎ本体と上蓋の２ピース構造とし、上蓋はネジ止めされる。
【発明の効果】
【００１１】
本発明の天井フレームは主材の側面に副材が垂直に突き合わされ、連結部材を介して連結される。そこで、副材を取付ける場合には、該副材先端に連結部材を前以て固定し、連結部材を主材の天井パネル受けに載せてその上端部を主材にボルト締めすればよい。又は、主材に連結部材を前以て固定し、この連結部材の嵌合部を副材の穴に嵌ると共に、連結部材のアームにボルト締めすることも出来る。何れの場合も、１本のボルトを締めるだけで副材を主材に連結することが出来、取付け作業は至って簡単である。
【００１２】
連結部材は嵌合部が穴に嵌ることで位置ズレすることなく副材の先端に固定され、そして、固定された連結部材が主材の天井パネル受けに載ると共に、その下端が該天井パネル受けに係止されることで、副材は主材に対して垂直に連結される。
又、主材及び副材の下端部には天井パネル受けが設けられ、天井パネルはこの天井パネル受けに載って支持され、隣り合う天井パネルは概略エ形断面の繋ぎ材を介して繋がれ、天井パネル間の目地空間が塞がれる。
【実施例】
【００１３】
図１は本発明に係る天井フレームを構成する主材と副材の連結構造を表している。同図の１は主材、２は副材、３は連結部材を夫々表し、該主材１に対して副材２は垂直を成している。天井フレームの全体図は前記図７に示すように、等間隔で縦方向に延びる複数本の主材１，１・・・と等間隔で横方向に延びる複数本の副材２，２・・・にて構成している。
【００１４】
図２は主材１（図１に示す主材断面とは僅かに違っている）を示しているが、同図に示すように概略逆Ｔ形断面の長尺材であり、下端部には天井パネル受け４ａ，４ｂを両側に設け、受け面５ａ，５ｂには係止片６ａ，６ｂを起立している。そして、主柱７の上端部にはガイド溝８ａ，８ｂが設けられ、該ガイド溝８ａ，８ｂは両側に開口９ａ，９ｂを形成している。さらに、上端には上方を開口した別のガイド溝１０を設けている。
【００１５】
図３は副材２を示しているが、同図に示すように概略逆Ｔ形断面の長尺材であり、下端部には天井パネル受け１１ａ，１１ｂを両側に設け、上端には上方を開口したガイド溝１２を有し、ガイド溝１２と天井パネル受け１１ａ，１１ｂの間には両側板１３ａ，１３ｂに囲まれた長方形の穴１４を設けている。
【００１６】
図４は主材１と副材２を連結する連結部材３を表している。該連結部材３は長尺材ではなく短いピースであり、背板１５から外方向へアーム１６を水平に延ばし、又嵌合部１７を延出している。そして、嵌合部１７の底板１８の背板側には溝１９を有し、背板１５の上部にはボルトが挿通する穴２０を貫通して設けている。前記図１は主材１の両側に連結部材３，３を取着し、そして右側の連結部材３には副材２が連結している。
【００１７】
連結部材３，３の底板１８、１８は主材１の両側に設けた天井パネル受け４ａ，４ｂの受け面５ａ，５ｂの上に載り、そして溝１９，１９には受け面５ａ，５ｂから起立する係止片６ａ，６ｂが係合している。又、ガイド溝８ａ，８ｂにはボルト２１ａ，２１ｂの頭部が嵌って、該ボルト２１ａ，２１ｂは背板１５，１５に形成している穴２０，２０を挿通してナットで締め付けられ、該連結部材３，３は主材１の両側に固定される。
【００１８】
そして、右側の連結部材３の嵌合部１７は副材２の長方形穴１４に嵌り、アーム１６にボルト締めされて該副材２が連結している。すなわち、ガイド溝１２にボルト２２の頭部が嵌り、該ボルト２２はアーム１６に設けた穴を貫通してナットが螺合して固定されている。ここで、該ナットを締め付けるならば、副材２の上端はアーム１６に引き寄せられて穴１４の底面は連結部材３の底板１８に当接して固定される。
【００１９】
嵌合部１７が長方形の穴１４に隙間なく嵌合し、底板１８が穴底に密着するならば、該副材２は主材１の外方向へ垂直に連結される。勿論、主材１に取着された左側の連結部材３にも同じように副材２が連結し、このように構成した天井フレームには天井パネルが取付けられる。主材１の上端に設けているガイド溝１０には吊ボルトが嵌り、該天井フレームを吊設することが出来る。
【００２０】
天井フレームを構成する主材１，１・・・、及び副材２，２・・・には天井パネル受け４ａ，４ｂ・・・、１１ａ，１１ｂ・・・を有し、これら天井パネル受け４ａ，４ｂ・・・、１１ａ，１１ｂ・・・に天井パネルの側端部が載って支持される。そして、図５に示すように隣り合う天井パネル２３ａ，２３ｂの間にはエ形断面の繋ぎ材２４を設けている。
【００２１】
該繋ぎ材２４は概略逆Ｔ形断面の繋ぎ本体２５と上蓋２６の２ピース構造とし、上蓋２６はネジ止めされる。天井パネル２３ａ，２３ｂの側端部は繋ぎ材２４の開口２７ａ，２７ｂに嵌っている。図６は繋ぎ材２４の展開図であり、上蓋２６は繋ぎ本体２５から分離している。
【００２２】
概略逆Ｔ形断面の繋ぎ本体２５の上端にはＵ形断面をしたネジ受け２８を有し、上蓋２６を両天井パネル２３ａ，２３ｂに跨って載置することで目地空間２９を塞ぎ、該ネジ受け２８のネジ溝３０にネジ３１を螺合して上蓋２６を固定する。そして、ネジ頭部をカバーする為に、キャップ３２が取付けられる。前記図５は上蓋２６をネジ止めすると共にキャップ３２を取付けた場合で、エ形断面の繋ぎ材２４となる。
【００２３】
天井フレームの構造は前記図７に示しているように、互いに平行な複数本の主材（イ）、（イ）・・・の間に複数本の副材（ロ）、（ロ）・・・を垂直に連結している。そして、空間（ハ）、（ハ）・・・が形成され、これら空間（ハ）、（ハ）・・・に複数枚の天井パネル２３，２３・・・が天井パネル受けに載って配列され、各天井パネル２３，２３・・・間に繋ぎ材２４，２４・・・が取付けられて目地空間２９，２９・・・を塞いでいる。
【図面の簡単な説明】
【００２４】
【図１】天井フレームを構成する主材と副材の連結構造。
【図２】主材の具体例。
【図３】副材の具体例。
【図４】連結部材の具体例。
【図５】隣り合う天井パネルの繋ぎ構造。
【図６】天井パネルの繋ぎ材の展開図。
【図７】一般的な天井フレームの概略図。
【符号の説明】
【００２５】
１  主材
２  副材
３  連結部材
４  天井パネル受け
５  受け面
６  係止片
７  主柱
８  ガイド溝
９  開口
10  ガイド溝
11  天井パネル受け
12  ガイド溝
13  側板
14  穴
15  背板
16  アーム
17  嵌合部
18  底板
19  溝
20  穴
21  ボルト
22  ボルト
23  天井パネル
24  繋ぎ材
25  繋ぎ本体
26  上蓋
27  開口
28  ネジ受け
29  目地空間
30  ネジ溝
31  ネジ
32  キャップ
【図１】
2010018957.tif 000003
【図２】
2010018957.tif 000004
【図３】
2010018957.tif 000005
【図４】
2010018957.tif 000006
【図５】
2010018957.tif 000007
【図６】
2010018957.tif 000008
【図７】
2010018957.tif 000009